(57)【要約】【課題】  揺動装置の組付け対象への固定作業の容易化と、部品点数の削減による在庫管理や荷造り搬送作業の簡易化を実現する。【解決手段】  組付け対象となるフロアボード１００に固定される基体１０と、該基体１０に支持されて基体１０に沿う不使用位置と基体１０から立ち上がる使用位置との間を揺動自在なハンドル２０とを含む。基体１０には、側面からの外方に突き出すとともに内外方向へ弾力的に撓み自在な弾性係止爪１５が側壁を切り抜いて形成してあり、当該弾性係止爪１５をフロアボード１００に設けられた係止部に係止させて基体１０を固定する。ハンドル２０は、使用位置にあるとき、弾性係止爪１５の内方への撓みを阻止する手段を構成している。一方、ハンドル２０は、不使用位置にあるときは、弾性係止爪１５の内方への撓みを許容する。【選択図】      図１０
2010120584.tif 000002
【特許請求の範囲】
【請求項１】
組付け対象に固定される基体と、該基体に支持されて基体に沿う不使用位置と基体から立ち上がる使用位置との間を揺動自在な揺動部材と、を含む揺動装置であって、
前記基体には、側面からの外方に突き出すとともに内外方向へ弾力的に撓み自在な弾性係止爪が側壁を切り抜いて形成してあり、当該弾性係止爪を組付け対象に設けられた係止部に係止させて前記基体を組付け対象に固定する構成となっており、
且つ、前記揺動部材は、前記使用位置にあるとき、前記弾性係止爪の基体側壁から内側への撓みを阻止して当該弾性係止爪と前記組付け対象側の係止部との間の係止状態を保持し、一方、前記不使用位置にあるときは、前記弾性係止爪の基体側壁から内側への撓みを許容する手段を構成していることを特徴とする揺動装置。
【請求項２】
前記揺動部材は、前記使用位置にあるとき前記弾性係止爪の内側近接位置に配置され、前記不使用位置にあるとき前記弾性係止爪の内側近接位置から離れる脱落防止壁部を備えていることを特徴とする請求項１の揺動装置。
【請求項３】
前記揺動部材は、両側部が前記基体に軸支されるとともに、両側壁の一部が前記脱落防止壁部を形成していることを特徴とする請求項２の揺動装置。
【請求項４】
前記揺動部材は、両側壁の一部から外方へ支軸が突出形成してあり、前記基体には、前記支軸を揺動自在に支持する軸受部が形成してあることを特徴とする請求項３の揺動装置。
【請求項５】
前記基体は、側壁を形成する枠部と、この枠部で囲まれた前記揺動部材を収容する凹所と、この凹所の底面を塞ぐ底部とを含み、
前記基体の底部は切欠口を有し、当該切欠口を透して基体底部側から前記揺動部材を嵌め込み、前記軸受部へ前記支軸を係合させる構成とし、
前記基体の枠部内面には、前記軸受部よりも底部側の領域に、弾力的に撓んで前記支軸の通過を許容する薄肉部を形成したことを特徴とする請求項４の揺動装置。
【請求項６】
前記薄肉部は、前記基体の底部側から前記軸受部へ向かって前記支軸を案内する案内溝を形成していることを特徴とする請求項５の揺動蔵置。
【請求項７】
前記揺動部材には、両側部の中間部位にリブが起立して形成してあり、且つ当該リブには、前記支軸と同軸上の支持凹部が形成してあり、
前記支持凹部に所定の治具を引っ掛け、当該治具で前記揺動部材を下方から支えながら、前記基体を押し下げていくことにより、前記基体の底部側から前記軸受部へ向かって前記支軸が案内される構成であることを特徴とする請求項６の揺動装置。
【請求項８】
前記揺動部材が前記不使用位置へ向かって揺動する方向へ当該揺動部材を付勢するスプリングを有し、
前記揺動部材には、前記スプリングをあらかじめ組み付けるための、スプリング組付け部が設けてあることを特徴とする請求項４乃至７のいずれか一項に記載の揺動装置。
【発明の詳細な説明】
【技術分野】
【０００１】
この発明は、自動車のラゲージルーム内に設置されるフロアボードなどに組み付けられるハンドル装置や、自動車の車内パネルに組み付けられるフック装置などに好適な揺動装置に関する。
【背景技術】
【０００２】
従来のこの種の揺動装置は、例えば、特許文献１に開示された自動車用ハンドル装置のように、基体と、ハンドルと、底板とを含む構成となっている。そして、フロアボードへの取付けは、同文献１の図７や図８に示されるように、フロアボードに設けた取付孔に表面側から基体を嵌め込むとともに、取付孔の裏面側に底板を当て、フロアボードを基体と底板とで挟み込んだ状態で、ネジを用いてこれらを締結するという手順で行われていた。
また、ハンドルは、金属丸棒からなる支軸を介して基体へ揺動自在に組み込まれる構成となっていた。
【特許文献１】特開２００６−１７５９７７号公報
【発明の開示】
【発明が解決しようとする課題】
【０００３】
上述した従来の揺動装置にあっては、フロアボードへの取付けに際して、ネジを用いた締結作業が必要となるため作業性が悪く、しかもネジや底板といった部品が含まれるため部品点数が多く、在庫管理や搬送に際しての荷造りが煩雑となる等の問題を有していた。
【０００４】
また、金属丸棒からなる支軸を部品に含むため、さらに部品点数が多くなり、在庫管理や搬送に際しての荷造りがいっそう煩雑となり、しかも金属丸棒を介してのハンドル（揺動部材）の組み付け作業は、基体とハンドル（揺動部材）との正確な軸合わせが必要であったり、金属丸棒の直線的な差し込み操作が必要となるなど、思いのほか煩雑でありこの点においても作業性が悪かった。
【０００５】
本発明は、上述した事情に鑑みてなされたもので、組付け対象への固定作業の容易化と、部品点数の削減による在庫管理や荷造り搬送作業の簡易化を実現することを第一の目的とする。
また、本発明は、基体への揺動部材の組み付け作業を容易化することを第二の目的とする。
【課題を解決するための手段】
【０００６】
上記目的を達成するために、請求項１の発明は、組付け対象に固定される基体と、該基体に支持されて基体に沿う不使用位置と基体から立ち上がる使用位置との間を揺動自在な揺動部材と、を含む揺動装置であって、
前記基体には、側面からの外方に突き出すとともに内外方向へ弾力的に撓み自在な弾性係止爪が側壁を切り抜いて形成してあり、当該弾性係止爪を組付け対象に設けられた係止部に係止させて前記基体を組付け対象に固定する構成となっており、
且つ、前記揺動部材は、前記使用位置にあるとき、前記弾性係止爪の基体側壁から内側への撓みを阻止して当該弾性係止爪と前記組付け対象側の係止部との間の係止状態を保持し、一方、前記不使用位置にあるときは、前記弾性係止爪の基体側壁から内側への撓みを許容する手段を構成していることを特徴とする。
【０００７】
また、請求項２の発明は、請求項１の記載を前提として、
前記揺動部材は、前記使用位置にあるとき前記弾性係止爪の内側近接位置に配置され、前記不使用位置にあるとき前記弾性係止爪の内側近接位置から離れる脱落防止壁部を備えていることを特徴とする。
【０００８】
また、請求項３の発明は、請求項２の記載を前提として、
前記揺動部材は、両側部が前記基体に軸支されるとともに、両側壁の一部が前記脱落防止壁部を形成していることを特徴とする。
【０００９】
請求項４の発明は、請求項３の記載を前提として、
前記揺動部材は、両側壁の一部から外側へ支軸が突出形成してあり、前記基体には、前記支軸を揺動自在に支持する軸受部が形成してあることを特徴とする。
【００１０】
請求項５の発明は、請求項４の記載を前提として、
前記基体は、側壁を形成する枠部と、この枠部で囲まれた前記揺動部材を収容する凹所と、この凹所の底面を塞ぐ底部とを含み、
前記基体の底部は切欠口を有し、当該切欠口を透して基体底部側から前記揺動部材を嵌め込み、前記軸受部へ前記支軸を係合させる構成とし、
前記基体の枠部内面には、前記軸受部よりも底部側の領域に、弾力的に撓んで前記支軸の通過を許容する薄肉部を形成したことを特徴とする。
【００１１】
請求項６の発明は、請求項５の記載を前提として、
前記薄肉部は、前記基体の底部側から前記軸受部へ向かって前記支軸を案内する案内溝を形成していることを特徴とする。
【００１２】
請求項７の発明は、請求項６の記載を前提として、
前記揺動部材には、両側部の中間部位にリブが起立して形成してあり、且つ当該リブには、前記支軸と同軸上の支持凹部が形成してあり、
前記支持凹部に所定の治具を引っ掛け、当該治具で前記揺動部材を下方から支えながら、前記基体を押し下げていくことにより、前記基体の底部側から前記軸受部へ向かって前記支軸が案内される構成であることを特徴とする。
【００１３】
また、請求項８の発明は、請求項４乃至７のいずれか一項の記載を前提として、
前記揺動部材が前記不使用位置へ向かって揺動する方向へ当該揺動部材を付勢するスプリングを有し、
前記揺動部材には、前記スプリングをあらかじめ組み付けるための、スプリング組付け部が設けてあることを特徴とする。
【００１４】
上述した構成の請求項１の発明によれば、弾性係止爪を組付け対象に設けられた係止部に係止させるだけで、基体を組付け対象に固定することができるので、組付け対象への固定作業の容易化を図ることができる。また、少なくともネジ等の締結具は不要となるので、部品点数の削減による在庫管理や荷造り搬送作業の簡易化を実現することができる。
しかも、請求項１の発明によれば、揺動部材が使用位置にあるとき、当該揺動部材によって弾性係止爪の基体側壁から内側への撓みが阻止されるので、組付け対象からの装置の脱落を防止することができる。
一方、揺動部材が不使用位置にあるときは、弾性係止爪の基体側壁から内側への撓みが許容されるので、この状態で組付け対象への固定作業を円滑に実施することができる。
【００１５】
請求項２の発明によれば、揺動部材に設けた脱落防止壁部によって、弾性係止爪の基体側壁から内側への撓みを有効に阻止することができる。
【００１６】
請求項３の発明によれば、揺動部材の両側壁の一部に脱落防止壁部することで、弾性係止爪の基体側壁から内側への撓みを有効に阻止することができる。
【００１７】
請求項４の発明によれば、揺動部材に形成した支軸を、基体の枠部に形成した軸受部に係合させるだけで、基体への揺動部材の組付け作業を容易に行うことができる。しかも、金属丸棒からなる別体の支軸部品が不要となるので、部品点数の削減による在庫管理や荷造り搬送作業の簡易化を実現することができる。
【００１８】
請求項５の発明によれば、基体底部側から揺動部材を嵌め込み、軸受部へ支軸を係合させる構成としたので、基体の枠部内面における軸受部よりも底部側の領域に薄肉部を設けるだけで、揺動部材の嵌め込み操作が可能となる。したがって、揺動部材に表面側から作用する引っ張り荷重に対して、基体枠部の表面側には十分な剛性を付与して揺動部材の脱落を防止することが可能となる。
【００１９】
請求項６の発明によれば、薄肉部に、基体の底部側から軸受部へ向かって支軸を案内する案内溝を形成しているので、軸受部へ支軸を容易に導くことができ、いっそう組付け作業性が向上する。
【００２０】
請求項７の発明によれば、揺動部材に形成したリブの支持凹部に所定の治具を引っ掛け、当該治具で揺動部材を下方から支えながら、基体を押し下げていくだけで、基体の底部側から軸受部へ向かって支軸を容易に案内することができる。ここで、支持凹部は、支軸と同軸上に形成してあるため、案内操作の途中で揺動部材が回動しても、治具の支点と案内対象である支軸との間の相対位置関係は変位せず、したがって治具を基準として案内操作を続けることができる。
【００２１】
請求項８の発明によれば、揺動部材にあらかじめスプリングを組み付け、揺動部材と一体にスプリングの基体への組付け作業をも行うことができるので、いっそう組付け作業性が向上する。
【発明の効果】
【００２２】
本発明は、上述した構成としたので、組付け対象への固定作業の容易化を図ることができ、しかも部品点数の削減による在庫管理や荷造り搬送作業の簡易化をも実現することできる。
【発明を実施するための最良の形態】
【００２３】
以下、この発明の実施の形態について図面を参照して詳細に説明する。
本実施形態では、自動車のラゲージルーム内に設置されるフロアボードなどに組み付けられるハンドル装置に本発明を適用した構成を示すが、本発明の用途はハンドル装置に限定されるものではないことは勿論である。
【００２４】
図１および図２は、本実施形態の係る揺動装置の外観を示す斜視図であり、図１（ａ）（ｂ）はハンドルが不使用位置にあるときの斜視図、図１（ｃ）はハンドルを持ち上げた状態での斜視図、図２（ａ）〜（ｃ）はハンドルが使用位置にあるときの斜視図である。
本実施形態の揺動装置は、基体１０と、揺動部材としてのハンドル２０と、プッシュボタン３０とを含んでいる。
ハンドル２０とプッシュボタン３０は、基体１０に対して、それぞれ別の中心軸回りに揺動自在に装着されている。基体１０は、自動車のラゲージルーム内に設置されるフロアボードなどに組み付けられる。
【００２５】
後述するように、基体１０には凹所１２が形成されている。
そして、「不使用位置」にあっては、図１（ａ）（ｂ）に示すように、ハンドル２０とプッシュボタン３０がこの凹所１２に収容され、基体１０に沿った状態となっている。換言すれば、不使用位置のとき、ハンドル２０とプッシュボタン３０の表面が、基体１０の表面とほぼ同一平面上に配置されている。ハンドル２０は、後述するスプリング４０により常時、不使用位置へ戻る方向に付勢されており、この付勢力がハンドル２０を介してプッシュボタン３０にも伝わり、プッシュボタン３０も不使用位置へ戻る方向に付勢されている。
一方、「使用位置」にあっては、図２（ａ）〜（ｃ）に示すように、ハンドル２０が基体１０から立ち上がって、ユーザがハンドル２０を把持できるようになる。
【００２６】
プッシュボタン３０は、その表面をユーザが押圧すると、梃子の原理でハンドル２０の裏面を表面側へ押圧して、図１（ｃ）に示すようにハンドル２０を持ち上げ、ハンドル２０を基体１０の凹所１２から押し出す機能を有している。これにより、ユーザはハンドル２０を簡単に把持することが可能となる。
【００２７】
図３は、基体を示す図で、（ａ）は斜視図、（ｂ）は側面図、（ｃ）は断面側面図である。
同図に示すように、基体１０は、側壁を形成する枠部１１と、この枠部１１で囲まれた凹所１２と、この凹所１２の底面を塞ぐ底部１３とを含む形状に樹脂成形されている。凹所１２には、既述したように、不使用位置のときハンドル２０とプッシュボタン３０が収容される。
【００２８】
枠部１１の内面には、後述するようにハンドル２０に形成された支軸２１を揺動自在に支持する軸受部１４が形成してある。また、凹所１２の底部１３には、一部に切欠口１３ａが形成してあり、この切欠口１３ａを透して基体１０の底部１３側からハンドル２０を基体１０に嵌め込む構成となっている。さらに、基体１０の対向する両側壁には、枠部１１の側面から外方に突き出すとともに、内外方向へ弾力的に撓み自在な弾性係止爪１５が、切り抜いて形成してある。基体１０は、これらの弾性係止爪１５をフロアボード（組付け対象）に設けられた係止部に係止させることで、フロアボードに固定される。
上述した軸受部１４、切欠口１３ａ、および弾性係止爪１５の構成および機能については、後で更に詳細に説明する。
【００２９】
また、凹所１２の内底面からは一対の支持壁１６ａが立ち上がっており、これら支持壁１６ａには外側方に向かって支軸１６ｂが突出形成されている。図１および図２に示したプッシュボタン３０は、これらの支軸１６ｂに揺動自在に支持され、基体１０に装着される。
【００３０】
図４は、ハンドルを示す図で、（ａ）は斜視図、（ｂ）は底面図、（ｃ）はスプリング組付け部を拡大して示す底面図、（ｄ）は同じく側面断面図、（ｅ）は治具を引っ掛けるための支持凹部を拡大して示す断面側面図である。
同図に示すように、揺動部材としてのハンドル２０は、基部２２の両側から対称な腕部２３がそれぞれ平行に延出し、これら各腕部２３の先端が把持部２４で繋がれた構成をした樹脂成形品である。基部２２、各腕部２３および把持部２４に囲まれた中間部分は、ユーザの手を差し込むための中空部となっている。
【００３１】
ハンドル２０の各腕部２３には、図４（ａ）（ｂ）に示すように、側壁の対称位置から外方へ支軸２１が突出形成してある。これらの支軸２１は、基体１０に形成した軸受部１４に揺動自在に支持される。また、ハンドル２０の基部２２には、図４（ａ）（ｂ）（ｅ）に示すように、両側部近傍位置の裏面からそれぞれリブ２５が起立し、当該リブ２５には半円弧状の支持凹部２５ａが形成してある。この支持凹部２５ａは、支軸２１と同軸上に形成してあり、後述する治具５０が引っ掛けられる。
これら支軸２１と支持凹部２５ａの構成および機能については、後で更に詳細に説明する。
【００３２】
また、本実施形態の揺動装置は、スプリング４０を部品として備えている（図４（ｃ）（ｄ）参照）。このスプリング４０は、既述したようにハンドル２０を不使用位置へ向かって常時付勢するための部品であり、本実施形態では捩りコイルスプリング（トーションばね）により構成してある。
【００３３】
ハンドル２０の基部２２には、スプリング４０をあらかじめ組み付けるための、スプリング組付け部２６が設けてある。スプリング組付け部２６は、基部２２の裏面から起立するＬ字状をした支持壁２６ａの一辺から他辺と平行に側方へ軸部２６ｂを延出させるとともに、他辺の先端縁にノッチ２６ｃを形成した構成となっている。スプリング４０は、図４（ｃ）（ｄ）に示すように、コイル部４０ａを軸部２６ｂに外嵌するとともに、一端部４０ｂ側をハンドル２０の基部２２裏面に当接させ、且つ他端部４０ｃ側を弾力的に撓ませた状態でノッチ２６ｃに引っ掛けて組み付けられる。この状態でハンドル２０に組み付けられたスプリング４０は、後述するようにハンドル２０を基体１０に組み付ける際にも、自らのばね力をもって組み付け状態を保持し、ハンドル２０から脱落することはない。
【００３４】
図５は、基体に形成した軸受部の詳細構造を示す図で、（ａ）は内側面図、（ｂ）は（ａ）のＡ−Ａ線断面図、（ｃ）はハンドルに形成した支軸の係合状態を示す断面図である。
これらの図に示すように、軸受部１４は基体１０の枠部１１に穿設した透孔で構成してある。そして、基体１０の枠部１１の内面には、基体１０の底部１３側から軸受部１４へ向かって支軸２１を案内する案内溝１７が形成してあり、この案内溝１７の内側に位置する側壁は薄肉部１７ａとなっている。薄肉部１７ａは、枠部１１の他所よりも薄肉となっており、弾力的に撓んで支軸２１の通過を許容する。さらに、薄肉部１７ａには、案内溝１７に沿って軸受部１４から底部１３方向へスリット１７ｂが切り込まれており、このスリット１７ｂの形成によって薄肉部１７ａはいっそう弾力的に撓み易くなっている。
【００３５】
図２（ｃ）に戻り、基体１０の底部１３には、案内溝１７と交叉する一側縁と他側縁の中間部分に、ハンドル２０を挿入可能な範囲で切欠口１３ａが形成してある。
【００３６】
図６は、ハンドルを基体へ装着するために用いる治具の構成例を示す図で、（ａ）は正面図、（ｂ）は側面図である。
治具５０は、コ字状に屈曲形成した一対の金属棒５１を台座５２の上面に起立して設置した構成となっており、各金属棒５１の上部で平行に配置された部分が支持杆５１ａとして機能し、これら支持杆５１ａをハンドル２０の支持凹部２５ａに引っ掛けてハンドル２０を支持する。治具５０は作業台の上に載置される。
【００３７】
図７および図８は、治具を用いたハンドルの組み付け方法を説明するための図である。これらの図面を参照して、基体１０へのハンドル２０の組み付け方法を説明する。
まず、図７（ａ）〜（ｃ）に示すように、ハンドル２０の支持凹部２５ａに治具５０の支持杆５１ａを引っ掛け、治具５０でハンドル２０を下方から支えながら、基体１０を押し下げていく。治具５０でハンドル２０を支えているので、作業員は基体１０を押し下げるために両手を使うことができ、作業性が良い。
【００３８】
基体１０を押し下げていく過程で、ハンドル２０は基体１０の底部１３に形成した切欠口１３ａに挿入され、周囲を基体１０に支えられるため、転倒することはない。またこのとき、ハンドル２０の支軸２１は、案内溝１７に嵌め込み、支軸２１が案内溝１７に沿って移動するようにする。案内溝１７内の側壁は薄肉部１７ａとなっているので、弾力的に撓んで支軸２１の移動を許容する。
【００３９】
基体１０の押し下げ操作に伴い、基体１０の表面側へハンドル２０が移動し、あらかじめハンドル２０に組み付けてあるスプリング４０の他端部４０ｃ（図４（ｄ）に示したノッチ２６ｃに引っ掛けてある部分）が、基体１０の底部１３裏面に当接して弾力的に撓んでいく。スプリング４０の弾力的な撓みに伴いハンドル２０には付勢力が作用し、図８（ａ）に示すように、ハンドル２０が支持杆５１ａを中心に徐々に回動していく。支持杆５１ａを引っ掛けた支持凹部２５ａは、ハンドル２０の支軸２１と同軸上に形成してあるので、ハンドル２０が回動しても案内溝１７内の支軸２１に嵌め込み方向と異なる方向への荷重が作用することはない。
【００４０】
このようにして、ハンドル２０は基体１０の底部１３側（裏面側）から嵌め込まれて、軸受部１４に支軸２１を係合させる（図８（ｂ）参照）。基体１０の底部１３側（裏面側）から嵌め込まれたハンドル２０は、図２に示すように、基体１０の表面側からユーザに把持されて引っ張られるが、支軸２１より表面側には案内溝１７や薄肉部１７ａは形成されてなく、十分な肉厚が確保されているので、枠部１１が撓んでハンドル２０が基体１０から脱落するおそれはない。
【００４１】
図９は、本実施形態に係る揺動装置の組付け対象への組み付け構造を示す図で、（ａ）は図１（ａ）の矢視Ｙ方向から見た図、（ｂ）は同じく矢視Ｘ方向から見た図である。
組付け対象となるフロアボード１００には揺動装置を組み付ける装着孔が形成してあり、その装着孔の周縁には揺動装置を固定するための係止部１０１、１０２が設けてある。
本実施形態の揺動装置は、図１に示すように、基体１０を構成する枠部１１の正面に引掛部１８が形成してあり、さらに、枠部１１の両側に弾性係止爪１５が形成してある。
【００４２】
揺動装置は、まずフロアボード１００の係止部１０１に引掛部１８を掛止し、続いて基体１０を装着孔内に押し込み、弾性係止爪１５をフロアボード１００の別の係止部１０２に係止させる。このようにして揺動装置のフロアボード１００への組付けが完了する。
【００４３】
さて、弾性係止爪１５は、枠部１１の内外方向へ弾力的に撓む構成となっており、図２に示した使用位置において、ハンドル２０に大きな引張力が作用すると、その引張力に負けて弾性係止爪１５が枠部１１の内方へ撓み、フロアボード１００側の係止部１０２との係止状態が解除されてしまうおそれがある。
そこで、本実施形態の揺動装置は、枠部１１の内側に装着されたハンドル２０が、使用位置にあるとき、弾性係止爪１５の内方への撓みを阻止して、当該弾性係止爪１５とフロアボード１００側の係止部１０２との間の係止状態を保持するように構成してある。具体的には、図１０（ｃ）（ｄ）に示すように、ハンドル２０の腕部２３の側壁が、使用位置において弾性係止爪１５の内側近接位置に配置され、弾性係止爪１５の内方への撓みを阻止する脱落防止壁部を構成している。これにより、使用位置において、ハンドル２０に大きな引張力が作用しても、弾性係止爪１５とフロアボード１００側の係止部１０２との間の係止状態は強固に保持される。
【００４４】
一方、不使用位置においては、図１０（ａ）（ｂ）に示すように、ハンドル２０の腕部２３の側壁（脱落防止壁部）は、弾性係止爪１５の内側近接位置から離間するように、形状が調整されている。したがって、不使用位置でフロアボード１００への組み付け作業を行えば、弾性係止爪１５は内方へ弾力的に撓み、フロアボード１００側の係止部１０２と支障なく係止させることができる。
【００４５】
なお、本発明は上述した実施形態に限定されるものではない。例えば、ハンドル２０をコ字状のフック部材に変更すれば、物品を引っ掛けるフック装置としても応用することができる。
【図面の簡単な説明】
【００４６】
【図１】本実施形態の係る揺動装置の外観を示す斜視図であり、（ａ）（ｂ）はハンドルが不使用位置にあるときの斜視図、（ｃ）はハンドル２０を持ち上げた状態での斜視図である。
【図２】同じくハンドルが使用位置にあるときの揺動装置の外観を示す斜視図である。
【図３】基体を示す図で、（ａ）は斜視図、（ｂ）は側面図、（ｃ）は断面側面図である。
【図４】ハンドルを示す図で、（ａ）は斜視図、（ｂ）は底面図、（ｃ）はスプリング組付け部を拡大して示す底面図、（ｄ）は同じく側面断面図、（ｅ）は治具を引っ掛けるための支持凹部を拡大して示す断面側面図である。
【図５】基体に形成した軸受部の詳細構造を示す図で、（ａ）は内側面図、（ｂ）は（ａ）のＡ−Ａ線断面図、（ｃ）はハンドルに形成した支軸の係合状態を示す断面図である。
【図６】ハンドルを基体へ装着するために用いる治具の構成例を示す図で、（ａ）は正面図、（ｂ）は側面図である。
【図７】治具を用いたハンドルの組み付け方法を説明するための図である。
【図８】図７に続く、治具を用いたハンドルの組み付け方法を説明するための図である。
【図９】本実施形態に係る揺動装置の組付け対象への組み付け構造を示す図で、（ａ）は図１（ａ）の矢視Ｙ方向から見た図、（ｂ）は同じく矢視Ｘ方向から見た図である。
【図１０】脱落防止壁部を構成するハンドルの機能を説明するための図で、（ａ）は不使用位置における揺動装置の断面側面図、（ｂ）は不使用位置における脱落防止壁部と弾性係止爪との間の位置関係を拡大して示す断面正面図、（ｃ）は使用位置における揺動装置の断面側面図、（ｄ）は使用位置における脱落防止壁部と弾性係止爪との間の位置関係を拡大して示す断面正面図である。
【符号の説明】
【００４７】
１０：基体、１１：枠部、１２：凹所、１３：底部、１３ａ：切欠口、１４：軸受部、１５：弾性係止爪、１６ａ：支持壁、１６ｂ：支軸、１７：案内溝、１７ａ：薄肉部、１７ｂ：スリット、１８：引掛部
２０：ハンドル、２１：支軸、２２：基部、２３：腕部、２４：把持部、２５：リブ、２５ａ：支持凹部、２６：スプリング組付け部、２６ａ：支持壁、２６ｂ：軸部、２６ｃ：ノッチ、
３０：プッシュボタン、
４０：スプリング、４０ａ：コイル部、４０ｂ：一端部、４０ｃ：他端部、
５０：治具、５１：金属棒、５１ａ：支持杆、５２：台座、
１００：フロアボード、１０１、１０２：係止部
【図１】
2010120584.tif 000003
【図２】
2010120584.tif 000004
【図３】
2010120584.tif 000005
【図４】
2010120584.tif 000006
【図５】
2010120584.tif 000007
【図６】
2010120584.tif 000008
【図７】
2010120584.tif 000009
【図８】
2010120584.tif 000010
【図９】
2010120584.tif 000011
【図１０】
2010120584.tif 000012